(57)【要約】【課題】水を使用することなく、タバコの吸い殻を連続して確実に消火することができるタバコ消炎装置の提供を目的とする。【解決手段】回転するローラ２と、該ローラ２の回転方向に向かって突設され、ローラ２外周面との間隙４を徐々に狭くしてなる第１の加圧板３とをタバコ消炎装置１に備える。そして、回転するローラ２と第１の加圧板３との間隙４に投下されたタバコの吸い殻５を、ローラ２と第１の加圧板３により押し潰して消火する。【選択図】図１
2007082598.tif 000002
【特許請求の範囲】
【請求項１】
回転するローラと、該ローラの外周面に向かって突設された加圧板とからなり、ローラと加圧板との間隙に投下されたタバコの吸い殻を前記ローラと前記加圧板により押し潰すことにより消火することを特徴とするタバコ消炎装置。
【請求項２】
加圧板は、ローラ外周面との間隙を徐々に狭くしつつ突設してなることを特徴とする請求項１記載のタバコ消炎装置。
【請求項３】
加圧板は、ローラの回転方向に間隔を置いて直列に複数枚設け、吸い殻をローラと加圧板との間で連続して複数回押し潰すことを特徴とする請求項１又は２記載のタバコ消炎装置。
【請求項４】
加圧板は分割形成され、ローラ外周面の幅方向に複数枚並設されたことを特徴とする請求項１乃至３記載のタバコ消炎装置。
【請求項５】
加圧板は、板体の先端から基部方向にスリットを切込形成することにより分割状に形状されたことを特徴とする請求項１乃至３記載のタバコ消炎装置。
【請求項６】
ローラ上部の吸い殻が投下される部分には、ローラと加圧板との間隙に向かって傾斜したガイドプレートを配設するとともに、該ガイドプレートは前記ローラに設けたカムにより間欠的にその先端を上下動させてガイドプレートに載置された吸い殻を前記間隙方向に移動させることを特徴とする請求項１乃至３記載のタバコ消炎装置。
【請求項７】
ローラは、吸い殻をローラと加圧板との間隙に送り込むための巻き込み用凸部をその表面に形成してなることを特徴とする請求項１乃至３記載のタバコ消炎装置。
【発明の詳細な説明】
【技術分野】
【０００１】
本発明は、タバコの吸い殻の火種を自動的に消火するタバコ消炎装置に関し、特に遊技場等に設置され、大量の吸い殻を連続的に確実かつ効率良く消火することができるタバコ消炎装置に関する。
【背景技術】
【０００２】
パチンコ店などの遊技場にあっては、遊技台の灰皿に溜まるタバコの吸い殻を個別に回収して回ることは多大な手間を要するのみならず、遊技者にとって遊技のジャマにもなることから、個々の遊技台の灰皿を清掃するのではなく、自動的にタバコの吸い殻を廃棄処理する装置が案出されている。例えば、並列する遊技台を連通するコンベアでタバコの吸い殻を搬送して、遊技台のシマの端に設置されたタバコ消炎装置に投下してまとめて消火処理することが行われている。このタバコ消炎装置は、ゴミ箱内に溜めてある水にタバコの吸い殻を落として消火する構造のものが存在している。
【特許文献１】特開２０００−１６７２２５号公報
【発明の開示】
【発明が解決しようとする課題】
【０００３】
しかしながら、上述した従来のタバコ消炎装置にあっては、水を用いることで確実に消火することができる一方、水に濡れた吸い殻からいやな臭いが発生したり、タバコの成分が溶け出した汚染水の処理に苦慮したり、さらに吸い殻を廃棄処理するためには濡れたままでは焼却処理等ができないので、吸い殻を乾燥させる手間を要するなどの多くの問題があった。
また、水による吸い殻の消火にあっては、水量が不足したり、水を入れ忘れたりすることで消火できなくなるという欠点が常に伴うものである
【０００４】
そこで本発明にあっては、上述した課題を解決すべく、水を使用することなく吸い殻を連続して確実に消火することができるタバコ消炎装置の提供を目的とする。
【課題を解決するための手段】
【０００５】
上記目的を達成するため、本発明のタバコ消炎装置は、回転するローラと、該ローラの外周面に向かって突設された加圧板とからなり、ローラと加圧板との間隙に投下されたタバコの吸い殻を前記ローラと前記加圧板により押し潰すことにより消火することを特徴とする。
【０００６】
また、加圧板は、ローラ外周面との間隙を徐々に狭くしつつ突設してなることを特徴とする。
【０００７】
また、加圧板は、ローラの回転方向に間隔を置いて直列に複数枚設け、吸い殻をローラと加圧板との間で連続して複数回押し潰すことを特徴とする。
【０００８】
また、加圧板は分割形成され、ローラ外周面の幅方向に複数枚並設されたことを特徴とする。
【０００９】
また、加圧板は、板体の先端から基部方向にスリットを切込形成することにより分割状に形状されたことを特徴とする。
【００１０】
また、ローラ上部の吸い殻が投下される部分には、ローラと加圧板との間隙に向かって傾斜したガイドプレートを配設するとともに、該ガイドプレートは前記ローラに設けたカムにより間欠的にその先端を上下動させてガイドプレートに載置された吸い殻を前記間隙方向に移動させることを特徴とする。
【００１１】
また、ローラは、吸い殻をローラと加圧板との間隙に送り込むための巻き込み用凸部をその表面に形成してなることを特徴とする。
【発明の効果】
【００１２】
本発明のタバコ消炎装置によれば、回転するローラと、該ローラの外周面に向かって突設された加圧板とからなり、ローラと加圧板との間隙に投下されたタバコの吸い殻を前記ローラと前記加圧板により押し潰すことにより、吸い殻の火種は圧縮されつつ回転するローラによりすり潰され空気を遮断されてもみ消されつつ、ローラと加圧板に熱を奪われることにより水を用いずとも確実に消火されるものである。
【００１３】
また、加圧板は、ローラ外周面との間隙を徐々に狭くしつつ突設してなることで、吸い殻がローラと加圧板により押し潰される時間が長くあり、火種が確実にもみ消されるものである。
【００１４】
また、加圧板は、ローラの回転方向に間隔を置いて直列に複数枚設け、吸い殻をローラと加圧板との間で連続して複数回押し潰すことで、万が一初めの加圧板を通過した吸い殻にわずかな消し残り部分があった場合でも後の加圧板で再び押し潰すことにより確実に消火することができるものである。
【００１５】
また、加圧板は分割形成され、ローラ外周面の幅方向に複数枚並設されたことで、ローラに対して複数の独立した加圧機能を設定することができ、それぞれの加圧板が吸い殻の火種部、葉部、フィルタ部の部分に応じて独立して押し潰したり、複数の吸い殻を同時に独立して押し潰したりすることができ、より一層確実に吸い殻を消火することができる。
【００１６】
また、加圧板は、板体の先端から基部方向にスリットを切込形成することにより分割状に形状されたことで、ローラに対して複数の独立した加圧機能を容易に設定することができ、その分割された部分のそれぞれが吸い殻の火種部、葉部、フィルタ部の部分に応じて独立して押し潰したり、複数の吸い殻を同時に独立して押し潰したりすることができ、より一層確実に吸い殻を消火することができる。
【００１７】
また、ローラ上部の吸い殻が投下される部分には、ローラと加圧板との間隙に向かって傾斜したガイドプレートを配設するとともに、該ガイドプレートは前記ローラに設けたカムにより間欠的にその先端を上下動させてガイドプレートに載置された吸い殻を前記間隙方向に移動させることで、タバコ消炎装置に投下される吸い殻をガイドプレート上に山盛りにすることなく、ガイドプレート上の吸い殻に振動を与えて、連続的に吸い殻をローラと加圧板との間隙に移動させることができる。
【００１８】
また、ローラは、吸い殻をローラと加圧板との間隙に送り込むための巻き込み用凸部をその表面に形成してなることで、吸い殻がローラと加圧板の間隙の手前部分で送り込まれることなく空回りすることを防いで、確実に吸い殻をローラと加圧板との間隙の奥に送り込むことができる。
【発明を実施するための最良の形態】
【００１９】
図１は、本発明に係るタバコ消炎装置１の第１の実施例を示しており、２は一方向に回転するローラ、３はローラ２の回転方向に沿って徐々に間隙４を狭くして配置され、この間隙４に投下される吸い殻５を押し潰す第１の加圧板、６はこの第１の加圧板３の後方に間隔を置いて直列に配置され、ローラ２の回転方向に沿って徐々に間隙７を狭くして配置され、この間隙７を通る吸い殻５を押し潰す第２の加圧板、８はローラ２上部における吸い殻５が投下される位置に配置され、ローラ２と第１の加圧板３との間隙４に向かって傾斜したガイドプレート、９は押し潰して消火したタバコの吸い殻を貯める吸い殻タンクである。１０は、吸い殻５をローラ２と加圧板３，６との間隙４，７に送り込むためにローラ２の表面に形成した巻き込み用凸部、１１は、ガイドプレート８を上下動させるべくローラ２に突設されたカムである。
【００２０】
ガイドプレート８は、ローラ２とほぼ同じ幅径の金属板からなり、その上方から連続して投下されてくる吸い殻を上面で受けてローラ２表面へと案内すべく、図１に示すごとく、右上部をローラ２上方に基端部として固定するとともに、左下部を遊端させローラ２表面に近接させて、ローラ２と第１の加圧板３との間隙４に向かって傾斜している。そして、図２に示すごとく、ローラ２の側縁に突設されたカム１１がローラ２の回転に伴ってガイドプレート８の下端を一旦押し上げ、そしてすぐに元に戻すことにより、その衝撃でガイドプレート８はその表面に載置されている吸い殻をふるい落とす。
【００２１】
前記巻き込み用凸部１０は、ローラ２表面に軸方向にほぼ並行に３個所突設した凸条であり、円柱形状の吸い殻５が回転するローラ２と加圧板３，６との間で空回りすることを防いで、吸い殻５を強制的にローラ２と加圧板３，６との間隙４，７に送り込むためのものである。
【００２２】
ローラ２は、耐熱性を有し、吸い殻の火種の熱を奪い取るべく熱容量があり熱伝導性に優れる金属の筒から形成されて、図示しないモータにより常に図１に示す反時計回り方向に、１０秒間に１回転程度のゆっくりした速度で回転している。勿論、回転速度はそれ以外でもよく、回転速度を自在に設定可能としてもよいものである。
【００２３】
第１の加圧板３は、ローラ２とほぼ同じ幅径の金属製のバネ材からなり、図２に示すごとく、ローラ２の曲率よりも多少大きな曲率で曲面を形成するとともに、ローラ２の回転方向に沿って徐々に間隙４を狭くして配置されている。そしてこの間隙４に投下される吸い殻５を、第１の加圧板３がローラ２に押し付けることで、吸い殻５は圧縮されつつローラ２の回転によりすり潰され空気を遮断されて火種がもみ消されつつ、ローラ２と第１の加圧板３に火種の熱が奪われて吸い殻５は確実に消火する。
【００２４】
第２の加圧板６は、同じくローラ２とほぼ同じ幅径の金属製のバネ材からなり、図２に示すごとく、第１の加圧板３で押し潰された吸い殻５を連続して押し潰すべく、ローラ２の曲率よりも多少大きな曲率で曲面を形成して、ローラ２の回転方向に沿って徐々に間隙７を狭くして配置されている。そして、第１の加圧板３を通過してこの間隙７に送られてくる吸い殻５を、第２の加圧板６がローラ２に押し付けることで、吸い殻５は圧縮されつつローラ２の回転によりすり潰され空気を遮断されて火種がもみ消されつつ、ローラ２と第２の加圧板６に火種の熱が奪われて吸い殻５は確実に消火する。
【００２５】
図２に示すごとく、第１の加圧板３及び第２の加圧板６には、スリット１２がそれぞれ２本切込形成されており、先端から基部方向に例えば２本形成されることで、第１の加圧板３及び第２の加圧板６はそれぞれ３つの部位に分割され、これにより分割された部分のそれぞれが吸い殻５の火種部、葉部、フィルタ部の部分に応じて独立して押し潰したり、複数の吸い殻５を同時に独立して押し潰したりすることができ、より一層確実に吸い殻を消火することができる。すなわち、第１の加圧板３の左片３ａに、吸い殻５における最も押し潰しづらいフィルタ部分が通過しても、第１の加圧板３の中片３ｂは葉部を押し潰し、さらに第１の加圧板３の右片３ｃは火種部を独立して押し潰すことができるものである。また、複数の吸い殻５が一度にタバコ消炎装置１に投下された場合でも、第１の加圧板３の左片３ａ、中片３ｂ、右片３ｃはそれぞれ独立して吸い殻５を押し潰すので、大量の吸い殻５を確実に消火することができるものである。
【００２６】
図３は、本発明のタバコ消炎装置の第２の実施例であり、このタバコ消炎装置にあっては、上述した実施例における加圧板３，６にスリット１２を形成して、ローラ２の幅方向に複数の独立した加圧機能を設けるのではなく、ローラ２外周面の幅方向に独立した第１の加圧板１３を３枚並設し、その後に間隔を置いて直列に第２の加圧板１４を３枚並設したものであり、この構成であっても第１の実施例と同じ作用を発揮させることができるものである。それ以外の構成要素については、前述の第１の実施例と同様である。
【００２７】
尚、上述した実施例にあっては加圧板を間隔を置いて直列に２枚設ける構成としたが、これに限定されることはなく、加圧板を直列に３枚若しくはそれ以上設けることとしてもよいものである。加圧板は、１枚よりも複数枚の方がより確実に吸い殻を消火することができる。
【図面の簡単な説明】
【００２８】
【図１】本発明のタバコ消炎装置の第１の実施例の説明図である。
【図２】本発明のタバコ消炎装置の第１の実施例の要部分解説明図である。
【図３】本発明のタバコ消炎装置の第２の実施例の要部分解説明図である。
【符号の説明】
【００２９】
１  タバコ消炎装置
２  ローラ
３  第１の加圧板
４  間隙
５  吸い殻
６  第２の加圧板
７  間隙
８  ガイドプレート
９  吸い殻タンク
１０  巻き込み用凸部
１１  カム
１２  スリット
１３  第１の加圧板
１４  第２の加圧板
【図１】
2007082598.tif 000003
【図２】
2007082598.tif 000004
【図３】
2007082598.tif 000005